(57)【特許請求の範囲】
【請求項１】
本体と、
前記本体開口部を自在に開閉する上蓋と、
前記本体内に収納され、被調理物を投入する内釜と、
前記上蓋に取着され前記内釜開口部を自在に開閉する内蓋と、
前記上蓋を開蓋する開ボタンと、
調理開始を指示するスタートボタンと、
調理終了時期を指示する予約ボタンと、
前記内釜の前記本体内の有無を検出する内釜検出手段と、
前記開ボタンへの接触の有無を検出する接触検出手段と、
異常検出手段と、
振動発生手段を有し、
前記異常検出手段によって異常検出すると前記振動発生手段で振動を生ぜしめて報知する炊飯器であって、
炊飯中に前記上蓋の前記開ボタンへの接触を前記接触検出手段により検出した場合、前記異常検出手段が異常検出して、前記振動発生手段は前記開ボタンを振動させる炊飯器。
【請求項２】
上蓋が本体に密着されていることを検出する上下密着検出手段をもち、前記上下密着検出手段が前記上蓋が前記本体に密着されていないことを検出した場合、異常検出手段が異常検出して、振動発生手段はスタートボタンおよび予約ボタンを振動させる請求項１に記載の炊飯器。
【請求項３】
内蓋が上蓋に取着されていることを検出する内蓋検出手段をもち、前記内蓋が前記上蓋に取着されていないことを検出した場合、異常検出手段が異常検出して、振動発生手段はスタートボタンおよび予約ボタンを振動させる請求項１に記載の炊飯器。
【請求項４】
内釜検出手段が内釜が本体内に入っていないことを検出し、かつスタートボタンまたは予約ボタンが押された場合、異常検出手段が異常検出して、振動発生手段はスタートボタンおよび予約ボタンを振動させる請求項１に記載の炊飯器。
【請求項５】
上蓋が本体に密着されていることを検出する上下密着検出手段をもち、前記上下密着検出手段が前記上蓋が前記本体に密着されていないことを検出した場合、異常検出手段が異常検出して、振動発生手段は開ボタンを振動させる請求項１に記載の炊飯器。
【請求項６】
プラグまたは電源コードへの接触による振動の有無を検出する振動検出手段をもち、タイマー動作中または炊飯中にプラグまたは電源コードに使用者が接触して振動を検出した場合、異常検出手段が異常検出して、振動発生手段は前記プラグを振動させる請求項１に記載の炊飯器。
【請求項７】
炊飯器は誘導加熱式炊飯器であり、振動発生手段は、主コイルに平行に巻かれた補助コイルから発生する電力を用いた回路からなる請求項１〜６のいずれか１項に記載の炊飯器。
【発明の詳細な説明】
【技術分野】
【０００１】
本発明は異常検出による報知手段を有する炊飯器に関するものである。
【背景技術】
【０００２】
従来、この種の炊飯器は、異常時には音声により報知している（例えば、特許文献１参照）。
【０００３】
図９は、特許文献１に記載された従来の炊飯器本体の断面図を示すものである。図９に示すように、内釜３１と、本体３２と、温度検度機構３３とから構成され、内釜３１が本体３２に手動操作により取り付けされたとき、温度検度機構３３が鍋の温度の検知位置に正しく吸着保持されたことを検出し、その旨を鳴動装置（図示せず）によって操作者に知らせるといったように、正常時または異常時には音声により報知する。
【先行技術文献】
【特許文献】
【０００４】
【特許文献１】実公昭６２−４１７０６号公報
【発明の概要】
【発明が解決しようとする課題】
【０００５】
しかしながら、前記従来の構成では、炊飯を行う際の異常時に使用者に知らせる場合、報知音で異常を報知するため、異なる異常の場合、どこが異常なのかわかりにくいという課題があった。また、異常により報知音のパターンを変えるなどしても、それを使用者が覚えるのが難しいという課題もあった。
【０００６】
更に、誘導加熱式炊飯器の場合に、磁界の漏れが発生するので、音声報知回路にノイズが重畳してしまうという課題もあった。
【０００７】
本発明は、前記従来の課題を解決するもので、炊飯を行う際の異常時に、異なる異常に応じて、どこが異常なのかを使用者にわかりやすく報知する炊飯器を提供することを目的とする。また、誘導加熱式炊飯器の場合に、発生した磁界の漏れを、異常報知に有用活用
する炊飯器を提供することを目的とする。
【課題を解決するための手段】
【０００８】
前記従来の課題を解決するために、本発明の炊飯器は、接触検出手段と、異常検出手段と、振動発生手段を有し、前記異常検出手段によって異常検出すると前記振動発生手段で振動を生ぜしめて報知する炊飯器であって、炊飯中に前記上蓋の前記開ボタンへの接触を前記接触検出手段により検出した場合、前記異常検出手段が異常検出して、前記振動発生手段は前記開ボタンを振動させるものである。
【０００９】
これによって、炊飯を行う際の異常時に、異なる異常に応じて、どこが異常なのかを使用者にわかりやすく報知することができる。
【００１０】
また、本発明の炊飯器は、誘導加熱式炊飯器の場合、振動発生手段は、主コイルに平行に巻かれた補助コイルから発生する電力を用いた回路からなるものである。
【００１１】
これによって、誘導加熱の漏洩磁界により発生する電圧によって振動素子を起動するので、電力が不要で少ない電力で振動させることができ、異常報知に有用活用できる。
【発明の効果】
【００１２】
本発明の炊飯器は、炊飯を行う際の異常時に、異なる異常に応じて、どこが異常なのかを使用者に即時にわかりやすく報知することができ、また誘導加熱式炊飯器では、誘導加熱の漏洩磁界により発生する電力で振動素子を起動するので、振動させるための電力が不要で少ない電力で振動させることができる。
【図面の簡単な説明】
【００１３】
【図１】本発明の実施の形態１における炊飯器の概観図
【図２】本発明の実施の形態１におけるスイッチ詳細断面図
【図３】本発明の実施の形態１における上下密着検出手段の断面図
【図４】本発明の実施の形態１における内蓋検出手段の断面図
【図５】本発明の実施の形態１における内釜検出手段の断面図
【図６】本発明の実施の形態１における開ボタンの断面図
【図７】本発明の実施の形態１における偏心モータの回路図
【図８】本発明の実施の形態２におけるプラグの構成図
【図９】従来の炊飯器本体の断面図
【発明を実施するための形態】
【００１４】
第１の発明は本体と、前記本体開口部を自在に開閉する上蓋と、前記本体内に収納され、被調理物を投入する内釜と、前記上蓋に取着され前記内釜開口部を自在に開閉する内蓋と、前記上蓋を開蓋する開ボタンと、調理開始を指示するスタートボタンと、調理終了時期を指示する予約ボタンと、前記内釜の前記本体内の有無を検出する内釜検出手段と、前記開ボタンへの接触の有無を検出する接触検出手段と、異常検出手段と、振動発生手段を有し、前記異常検出手段によって異常検出すると前記振動発生手段で振動を生ぜしめて報知する炊飯器であって、炊飯中に前記上蓋の前記開ボタンへの接触を前記接触検出手段により検出した場合、前記異常検出手段が異常検出して、前記振動発生手段は前記開ボタンを振動させることにより、炊飯を行う際の異常時に、異なる異常に応じて、どこが異常なのかを使用者に即時にわかりやすく報知することができる。
【００１５】
第２の発明は、特に、第１の発明の上蓋が本体に密着されていることを検出する上下密着検出手段をもち、前記上下密着検出手段が前記上蓋が前記本体に密着されていないことを検出した場合、異常検出手段が異常検出して、振動発生手段はスタートボタンおよび予
約ボタンを振動させることにより、異常個所を使用者に即時にわかりやすく報知することができる。
【００１６】
第３の発明は、特に、第１の発明の内蓋が上蓋に取着されていることを検出する内蓋検出手段をもち、前記内蓋が前記上蓋に取着されていないことを検出した場合、異常検出手段が異常検出して、振動発生手段はスタートボタンおよび予約ボタンを振動させることにより、異常個所を使用者に即時にわかりやすく報知することができる。
【００１７】
第４の発明は、特に、第１の発明の内釜検出手段が内釜が本体内に入っていないことを検出し、かつスタートボタンまたは予約ボタンが押された場合、異常検出手段が異常検出して、振動発生手段はスタートボタンおよび予約ボタンを振動させることにより、異常個所を使用者に即時にわかりやすく報知することができる。
【００１８】
第５の発明は、特に、第１の発明の上蓋が本体に密着されていることを検出する上下密着検出手段をもち、前記上下密着検出手段が前記上蓋が前記本体に密着されていないことを検出した場合、異常検出手段が異常検出して、振動発生手段は開ボタンを振動させることにより、異常個所を使用者に即時にわかりやすく報知することができる。
【００１９】
第６の発明は、特に、第１の発明のプラグまたは電源コードへの接触による振動の有無を検出する振動検出手段をもち、タイマー動作中または炊飯中にプラグまたは電源コードに使用者が接触して振動を検出した場合、異常検出手段が異常検出して、振動発生手段は前記プラグを振動させることにより、異常個所を使用者に即時にわかりやすく報知することができる。
【００２０】
第７の発明は、特に、第１〜６のいずれか１つの発明の炊飯器は誘導加熱式炊飯器であり、振動発生手段は、主コイルに平行に巻かれた補助コイルから発生する電力を用いた回路からなることにより、振動させるための電力が不要で少ない電力で振動させることができる。
【００２１】
以下、本発明の実施の形態について、図面を参照しながら説明する。なお、この実施の形態によって本発明が限定されるものではない。
【００２２】
（実施の形態１）
図１は、本発明の第１の実施の形態における炊飯器の概観図、図２は、本発明の第１の実施の形態におけるスイッチ詳細断面図を示すものである。
【００２３】
図１において、炊飯器は、中に内蓋を収納する上蓋１、中に内釜を収納する本体２、炊飯を開始するスタートボタン３、設定した時間に炊飯終了する予約ボタン４、上蓋１を本体２から開くための開ボタン５から構成されている。
【００２４】
図２において、スタートボタン３は、スタートボタン３の表面１０と、表面１０を押すとスタートスイッチが入るタフトスイッチ１１から成る。スタートボタン３内には、スタートボタン３に平行して振動ばね６が設置される。振動ばね６は略板状で一端を固定し、他端が可動するよう設置されており、振動ばね６の固定端は固定端ねじ７で固定され、振動ばね６の可動側の振動を可動端ばね８で制御されている。振動ばね６の可動端に固定され回転軸に偏心して設置された錘を回転させることによって振動ばねに振動を加える偏心モータ９が振動発生手段である。
【００２５】
偏心モータ９にはケーブルが接続され、ケーブルを介して商用電源から作成された５Ｖ電源が供給されると、偏心モータ９が回転し、偏心モータ９の振動が振動ばね６に伝達し
、振動ばね６の近傍にあるスタートボタンの表面１０を振動させる。
【００２６】
予約ボタン４、上蓋１を開ける開ボタン５も同様な機構で振動させることができる。
【００２７】
まず、スタートボタン３と予約ボタン４を振動させる条件は、以下の３つである。
Ａ．上蓋１が本体２にしっかりと密着されてない場合。
Ｂ．上蓋１に収納される内蓋が取り付けられてない場合。
Ｃ．本体２に収納される内釜１７が入ってない場合。
【００２８】
条件Ａの上蓋１が本体２にしっかりと密着されてない場合では、炊飯がうまくできないため、このような場合に警告を発するようにしている。なお、上蓋１には上蓋１が本体２にしっかり密着されていることを検出するための上下密着検出手段１８が収納される。図３に上下密着検出手段の断面図を示す。上蓋１に上蓋つめ１９があり、これに上下密着検出手段１８が装着されている。また、本体２には上蓋つめ１９に引っ掛けるように本体つめ２０がある。上蓋１を閉めると、上蓋つめ１９が本体つめ２０を押してばね２１により一旦右側に移動した後、上蓋つめ１９と本体つめ２０がかみ合って、本体つめ２０がばね２１により上下密着検出手段１８を押して上蓋１と本体２が密着したことが信号として出力される。この信号がない場合に、上蓋１と本体２とが密着されてないとみなし、偏心モータ９を回転させてスタートボタン３と予約ボタン４を振動させる。なお、上下密着検出手段１８は上蓋１と本体２が密着してないことを検出できるものであればなんでもよく、例えば、上蓋１と本体２との接触部分に上蓋１と本体２の両方に電極を設置し、静電容量の変化を用いて上蓋１と本体２との接触を検出するものでもよい。
【００２９】
条件Ｂの上蓋１に収納される内蓋が取り付けられてない場合では、炊飯がうまくできないため、このような場合に警告を発するようにしている。図４に内蓋検出手段の断面図を示す。図４に示すように、上蓋１には内蓋が上蓋１に取り付けられてないことを検出するための内蓋検出手段２２が設置されている。内蓋をロックする固定つめとばねとからなる内蓋固定つめ２３により内蓋が固定されたときに、内蓋検出手段２２が上に押され、このときに信号を出力し、この信号により、内蓋が装着されているかを検出する。内蓋検出手段２２の信号がない場合に上蓋１と本体２とが固定されてないとみなし、偏心モータ９を回転させてスタートボタン３と予約ボタン４を振動させる。なお、内蓋検出手段２２は上蓋１に内蓋が取り付けられていないことを検出できるものであればなんでもよい。
【００３０】
条件Ｃの本体２に収納される内釜１７が入ってない場合では、炊飯できないため、このような場合に警告を発するようにしている。図５に内釜検出手段の断面図を示す。図５に示すように、本体２には本体２に内釜１７に入ってないことを検出するための内釜検出手段である重量検出手段２４が収納され、重量検出手段２４が内釜１７の重量を検出できない場合に本体２に内釜１７が入ってないとみなし、偏心モータ９を回転させてスタートボタン３と予約ボタン４を振動させる。なお、重量検出手段２４は本体２に内釜１７が入ってないことがわかるもので静電容量や磁力を用いたものなど、内釜１７の存在が判別できるものであればなんでもよい。
【００３１】
次に、開ボタン５を振動させる条件は、以下の２つである。
Ｄ．上蓋１が本体２にしっかりと密着されてない場合。
Ｅ．炊飯中に開ボタン５に接触した場合。
【００３２】
条件Ｄの上蓋１が本体２にしっかりと密着されてない場合では、炊飯がうまくできないため、このような場合に開ボタン５を振動させることにより警告を発するようにしている。構成は図３と同様である。なお、上蓋１には上蓋１が本体２にしっかり密着されていることを検出するための上下密着検出手段１８が収納され、上下密着検出手段１８の信号が
ない場合に上蓋１と本体２とが密着されてないとみなし、偏心モータ９を回転させて開ボタン５を振動させる。なお、上下密着検出手段１８は上蓋１と本体２が密着してないことを検出できるものであれば静電容量を用いたものなど、なんでもよい。
【００３３】
Ｅの炊飯中に開ボタン５に接触した場合では、炊飯が途中で停止してうまくできないため、このような場合に開ボタン５を振動させて警告を発するようにしている。図６に開ボタンの断面図を示す。図６に示すように、開ボタン５には人体が接触したことを瞬時に認識できる開ボタン接触検出手段である圧電センサ２５が配置され、人体が接触した場合にすぐに圧電センサ２５から電力が発生し、これを用いて人体の接触を判断する。なお、圧電センサ２５に限らず開ボタン５に人体が接触したことをすぐに判定できるものであればなんでもよい。
【００３４】
なお、偏心モータ９など振動素子の電源電圧は商用電源から作成された５Ｖでなくてもよく、例えば誘導加熱式炊飯器の場合であれば、図７に示すように鍋を加熱する誘導加熱回路２６によりドライブされるコイルから漏れる漏洩磁界を用い、加熱コイルと平行に巻いた漏洩コイル２７を用い得られた電力を用いて電圧に変換し、その電圧をＤＣ安定化回路２８で安定化して用いてもよい。これによって、漏洩磁界を用いるので、電力が不要で少ない電力で偏心モータ９を動作させ各ボタンを振動させることができる。
【００３５】
また、スタートボタン３を振動させる振動源は偏心モータ９でなくてもよく、例えば、圧電素子などでもよい。
【００３６】
（実施の形態２）
図８は、本発明の第２の実施の形態のプラグの構成図である。
【００３７】
図８に示すように、本実施の形態と実施の形態１の炊飯器との違いは、プラグ２９に振動検出手段３０と偏心モータ９が装着されている点にある。使用者が、炊飯中に誤ってプラグをコンセントから抜こうとしたり、電源ケーブルを引っ張った場合に振動検出手段３０がプラグを抜こうとする時に発生する振動を検出して、偏心モータ９に電源を供給して振動を発生させて、プラグ２９を抜こうとする使用者に警告する。これによって、誤って炊飯中にプラグをコンセントから抜いてしまい、炊飯が失敗してしまうことを防ぐことができる。
【００３８】
なお、偏心モータ９など振動素子の電源電圧は商用電源から作成された５Ｖでなくてもよく、例えば誘導加熱式炊飯器の場合であれば、図７に示すように鍋を加熱する誘導加熱回路２６によりドライブされるコイルから漏れる漏洩磁界を用い、加熱コイルと平行に巻いた漏洩コイル２７を用い得られた電力を用いて電圧に変換し、その電圧をＤＣ安定化回路２８で安定化して用いてもよい。これによって、漏洩磁界を用いるので、電力が不要で少ない電力で偏心モータ９を動作させ各ボタンを振動させることができる。
【００３９】
また、プラグを振動させる素子に偏心モータ９を用いているが、圧電素子など、その他の振動素子でもよい。
【産業上の利用可能性】
【００４０】
以上のように、本発明にかかる炊飯器は、炊飯を行う際の異常時に、異なる異常に応じて、どこが異常なのかを使用者に即時にわかりやすく報知することができるので、他の調理機器を始め家電製品等の用途にも適用できる。
【符号の説明】
【００４１】
１    上蓋
２    本体
３    スタートボタン
４    予約ボタン
５    開ボタン
６    振動ばね
７    固定端ねじ
８    可動端ばね
９    偏心モータ（振動発生手段）
１０  スタートボタン３の表面
１１  タフトスイッチ
１７  内釜
１８  上下密着検出手段
１９  上蓋つめ
２０  本体つめ
２１  ばね
２２  内蓋検出手段
２３  内蓋固定つめ
２４  重量検出手段（内釜検出手段）
２５  圧電センサ（開ボタン接触検出手段）
２６  誘導加熱回路
２７  漏洩コイル
２８  ＤＣ安定化回路
２９  プラグ
３０  振動検出手段
【図１】
0005447078.tif 000002
【図２】
0005447078.tif 000003
【図３】
0005447078.tif 000004
【図４】
0005447078.tif 000005
【図５】
0005447078.tif 000006
【図６】
0005447078.tif 000007
【図７】
0005447078.tif 000008
【図８】
0005447078.tif 000009
【図９】
0005447078.tif 000010